(57)【要約】【課題】建築基準法で定める準耐火構造に準ずる耐火性能を確保しつつ見栄えを向上させたマルチメディア情報盤を提供する。【解決手段】マルチメディア情報盤１は、施工面に開口する埋込孔に後部が収納された状態で施工面に取り付けられる盤本体２と、埋込孔に収納された盤本体２の後部を覆うように盤本体２に取り付けられる金属製のカバー４とを備える。このマルチメディア情報盤１では、埋込孔に収納された盤本体２の後部を金属製のカバー４で覆っているので、埋込孔を通して室内側に火が回り込むのを抑えることができ、建築基準法で定める準耐火構造に準ずる耐火性能を確保することができる。また、新たな壁を設けなくてもいいので、室内側への出っ張りを小さくすることができ、外観上の見栄えを向上することができる。【選択図】図１
2013207828.tif 000002
【特許請求の範囲】
【請求項１】
施工面に開口する埋込孔に後部が収納された状態で前記施工面に取り付けられる盤本体と、前記埋込孔に収納された前記盤本体の後部を覆う金属製のカバーとを備えていることを特徴とするマルチメディア情報盤。
【請求項２】
前記カバーは、前記施工面の裏側に配線された電線を通すための通線孔を有し、前記通線孔はノックアウト構造からなることを特徴とする請求項１記載のマルチメディア情報盤。
【請求項３】
前記カバーは、前記カバーを前記施工面に取り付ける際に用いられる取付ねじを通すための挿通孔を有していることを特徴とする請求項１又は２記載のマルチメディア情報盤。
【請求項４】
前記カバーは、前記盤本体を前記施工面に取り付ける際に用いられる挟み金具を外側に引き出すための引出孔を有し、前記引出孔はノックアウト構造からなることを特徴とする請求項１〜３の何れか１項に記載のマルチメディア情報盤。
【発明の詳細な説明】
【技術分野】
【０００１】
本発明は、住宅の壁などに取り付けられ各種の情報機器を収納するマルチメディア情報盤に関するものである。
【背景技術】
【０００２】
従来より、インターネット、住宅内ＬＡＮ用の通信系情報や薄型ＴＶ用等の放送系情報を含む情報系メディアのターミナルとして各種の情報機器を収納する情報分電盤が提供されている（例えば特許文献１参照）。この情報分電盤は、前面側に開口部を有する矩形箱状の本体と、本体の開口部を開閉自在に閉塞する蓋体とで構成されたキャビネットを備える。このキャビネットの内部には、機器に電力を供給するための電源コンセントや、一般電話、インターネット等を利用するための電話回線の複数の端子を有する電話回線端子台などが収納される。そしてこのキャビネットは、壁に設けられた埋込孔に後部が収納された状態で壁に取り付けられる。
【先行技術文献】
【特許文献】
【０００３】
【特許文献１】特開２０１０−１０４０７３号公報
【発明の概要】
【発明が解決しようとする課題】
【０００４】
ところで、住宅金融支援機構法及びその主務省令には、建築基準法で定める準耐火構造に準ずる耐火性能を持つ構造について定められており、上述の特許文献１に示した情報分電盤が上記の耐火性能を満たすためには、壁の外側に新たな壁を造成し、新たな壁にキャビネットを取り付ける必要がある。しかしながらこの場合、新たな壁を造成する工事が必要であり、しかも新たな壁の分だけ室内側に出っ張ってしまうため、外観上見栄えがよくなかった。
【０００５】
本発明は上記問題点に鑑みて為されたものであり、その目的とするところは、建築基準法で定める準耐火構造に準ずる耐火性能を確保しつつ見栄えを向上させたマルチメディア情報盤を提供することにある。
【課題を解決するための手段】
【０００６】
本発明のマルチメディア情報盤は、施工面に開口する埋込孔に後部が収納された状態で施工面に取り付けられる盤本体と、埋込孔に収納された盤本体の後部を覆う金属製のカバーとを備えていることを特徴とする。
【０００７】
このマルチメディア情報盤において、カバーは、前記施工面の裏側に配線された電線を通すための通線孔を有し、前記通線孔はノックアウト構造からなるのが好ましい。
【０００８】
また、このマルチメディア情報盤において、カバーは、カバーを施工面に取り付ける際に用いられる取付ねじを通すための挿通孔を有しているのも好ましい。
【０００９】
さらに、このマルチメディア情報盤において、カバーは、盤本体を施工面に取り付ける際に用いられる挟み金具を外側に引き出すための引出孔を有し、引出孔はノックアウト構造からなるのも好ましい。
【発明の効果】
【００１０】
埋込孔に収納された盤本体の後部を金属製のカバーで覆っているので、埋込孔を通して室内側に火が回り込むのを抑えることができ、建築基準法で定める準耐火構造に準ずる耐火性能を確保することができる。また、従来例のように新たな壁を設けなくてもいいので、室内側への出っ張りを小さくすることができ、外観上の見栄えを向上することができる。
【図面の簡単な説明】
【００１１】
【図１】本実施形態のマルチメディア情報盤を示し、（ａ）は分解斜視図、（ｂ）、（ｃ）は要部拡大図である。
【図２】同上の盤本体に内器が収納された状態の正面図である。
【図３】（ａ）〜（ｅ）は同上を施工面に取り付ける手順を説明する説明図である。
【図４】（ａ）、（ｂ）は同上のカバーを施工面に取り付ける手順を説明する説明図である。
【図５】同上を用いた宅内配線の模式的な配線図である。
【発明を実施するための形態】
【００１２】
以下に、マルチメディア情報盤１の実施形態について図１〜図５を参照して説明する。
【００１３】
図５は本実施形態のマルチメディア情報盤１を用いた屋内配線の模式図であり、マルチメディア情報盤１は、建物（例えば戸建て住宅や集合住宅など）の部屋Ｒ１の壁（図５の例では作り付けの収納戸棚１１０の内壁１１１）に取り付けられた状態で使用される。このマルチメディア情報盤１には各種の情報機器（図示せず）が内器として収納される。また、建物内の他の部屋Ｒ２には、マルチメディアコンセント（所謂情報コンセント）８０が設置されている。このマルチメディアコンセント８０は、電話コンセント８１、ＬＡＮコンセント８２、同軸コンセント８３、及び電源コンセント８４を一体に備える。
【００１４】
マルチメディア情報盤１の内部には、建物の外部から電話配線Ｌ１、光ファイバケーブルＬ３、及び同軸ケーブルＬ４が引き込まれ、これらの配線は盤内に収納された内器に接続される。また、マルチメディア情報盤１に収納された内器と、マルチメディアコンセント８０が備える情報系の各コンセント８１，８２，８３の間は、建物内に先行配線された電話配線Ｌ１、ＬＡＮ配線Ｌ２、及び同軸ケーブルＬ４を介して接続される。而して、部屋Ｒ２に設置された電話機９１と電話コンセント８１の間を電話線Ｌ２１で接続することによって、電話機９１を用いて電話通信が行える。また、パソコン９２のＬＡＮポートとＬＡＮコンセント８２の間をＬＡＮ配線Ｌ２２で接続することによって、パソコン９２をネットワークに接続することができる。さらに、テレビ９３のアンテナ接続端子と同軸コンセント８３の間を同軸ケーブルＬ２４で接続することによって、テレビ９３を用いてテレビジョン放送を視聴することができる。
【００１５】
このようなマルチメディア情報盤１が設置されている建物では、各部屋のマルチメディアコンセント８０への配線を１箇所から引き出すことができ、配線施工や設置後の内器のメンテナンス（点検・修理）や内器の追加、変更などが容易になる。なお、上記の配線としては音声電話用のツイストペア線からなる電話配線Ｌ１や、データ通信用の例えばＣＡＴ５Ｅ準拠のＬＡＮ配線Ｌ２や、光通信用の光ファイバーケーブルＬ３や、テレビジョン放送用の同軸ケーブルＬ４などがある。これらの配線はそれぞれ別体に形成されていてもいいし、電話配線Ｌ１とＬＡＮ配線Ｌ２と同軸ケーブルＬ４とがユニット化されたケーブルでもよい。
【００１６】
次に、本実施形態のマルチメディア情報盤１の構成について詳しく説明する。なお、以下の説明では特に断りがない限り、図２に示す向きにおいて上下左右の方向を規定し、さらに図２の紙面に垂直な方向における手前側を前側、奥側を後側と規定して説明を行うが、これらの方向はマルチメディア情報盤１の取付方向を限定するものではない。
【００１７】
マルチメディア情報盤１は、図１（ａ）に示すように、盤本体２と蓋体３とカバー４とを主要な構成として備える。
【００１８】
盤本体２は、例えば合成樹脂成型品からなり、前面が開口する横長の矩形箱状に形成されている。盤本体２の後壁２１の上部左側には、後壁２１を前後方向に貫通する通線孔２１ａが設けられている。また、後壁２１の上部には、後壁２１を前後方向に貫通する通線孔２１ｂが、通線孔２１ａの右側に複数個（本実施形態では４個）並べて設けられている。さらに、後壁２１の下部左側には、後壁２１を前後方向に貫通する通線孔２１ｃが設けられている。ここに、通線孔２１ａ，２１ｂ，２１ｃは、光ファイバケーブルや電話配線、ＬＡＮ配線、同軸ケーブル、電源ケーブルなどを盤本体２の内部に導入するために設けられたものであるが、本実施形態では盤本体２の後部が後述するカバー４で覆われるため、使用しない。また、後壁２１の略中央には、通線孔２１ａ〜２１ｃに比べて開口面積の大きい放熱用孔２１ｄが設けられており、盤本体２に取り付けられた内器の発熱が放熱用孔２１ｄからカバー４を介して外部に放熱される。
【００１９】
また、盤本体２の側壁には全周に亘って段部２２が設けられ、段部２２よりも後側の部位は、段部２２よりも前側の部位に比べて左右方向及び上下方向の幅寸法が小さくなっている。さらに、盤本体２２の側壁には、側壁を厚み方向に貫通するスリット状の通気孔２３が複数設けられている。また、盤本体２の上側壁には、押し開けることによって矩形の通線孔が形成されるノックアウト部２４が、左右方向に複数（図２の例では７個）並べて設けられている。ここに本実施形態では、施工面（本実施形態では壁６）の裏側に配線された光ファイバケーブルや電話配線、ＬＡＮ配線、同軸ケーブル、電源ケーブルなどが、ノックアウト部２４を押し開けることによって形成される通線孔を通して盤本体２の内部に収納される。
【００２０】
また、盤本体２の左右両側壁には、盤本体２を施工面（本実施形態では壁６）に取り付ける際に用いられる挟み金具５（図３（ｄ）参照）の上片５２が載置される２個で１組の載置片２５が、それぞれ上下方向に２個ずつ並べて設けられている。さらに、盤本体２の左右両側壁には、押し開けることによって矩形の引出孔が形成されるノックアウト部２６が、各組の載置片２５にそれぞれ対応して設けられている。そして、挟み金具５の上片５２を盤本体２の載置片２５に載置させた状態では、ノックアウト部２６を押し開けることによって形成された引出孔を通して挟み金具５の下片５１が外側に引き出される。なお、挟み金具５を用いて盤本体２を壁６に取り付ける手順については後述する。
【００２１】
蓋体３は、例えば合成樹脂成型品からなり、図１（ａ）に示すように、盤本体２の前面よりも縦横の寸法が若干大きめに形成された主部３１と、主部３１の外周縁から後方に延出する側部３２とを一体に備える。この蓋体３は、側部３２の内面に設けられた溝（図示せず）に盤本体２に設けられた爪（図示せず）を引っ掛けることによって、盤本体２に着脱自在に取り付けられる。
【００２２】
カバー４は、金属板に曲げ加工を施して形成され、横長の矩形板状に形成された後壁４１と、後壁４１の外周縁からそれぞれ前方に延出する側壁４２〜４５とを備える。カバー４の上側壁４２の左側には、図１（ｂ）に示すように、折り曲げることで円形の通線孔が形成されるように円弧状の切溝が施されたノックアウト部４２ａが設けられている。また、カバー４の上側壁４２には、同様に折り曲げることで円形の通線孔が形成されるように円弧状の切溝が施されたノックアウト部４２ｂが、ノックアウト部４２ａの右側に複数個（本実施形態では９個）並べて設けられている。
【００２３】
また、カバー４の左右両側壁４４，４５には、図１（ｃ）に示すように、折り曲げることで矩形の引出孔が形成されるようにＵ字状の切溝が施されたノックアウト部４４ａ，４５ａが、それぞれ上下方向に２個ずつ並べて設けられている。さらに、カバー４の左右両側壁４４，４５及び下側壁４３には、壁６の裏側に取り付けられた後述の桟８（図４（ａ）（ｂ）参照）にカバー４を取り付ける際に用いられる取付ねじ（例えば木ねじ９）を通すための挿通孔４３ａ，４４ｂ，４５ｂがそれぞれ設けられている。なお、カバー４を桟８に取り付ける手順については後述する。ここに、カバー４の縦横の寸法は、盤本体２の段部２２よりも後側の部位の縦横の寸法よりも若干大きめに形成されており、盤本体２の段部２２よりも後側の部位を覆うようにして、適宜の取付方法（例えばねじや爪など）により盤本体２に取り付けられる。
【００２４】
而して、盤本体２の後部にカバー４を取り付けた状態では、ノックアウト部２４とノックアウト部４２ａ，４２ｂが重なるようになっている。したがって、ノックアウト部２４を押し開けることによって形成される通線孔と、ノックアウト部４２ａ，４２ｂを折り曲げることによって形成される通線孔が重なって開口した状態になる。また、盤本体２の後部にカバー４を取り付けた状態では、ノックアウト部２６とノックアウト部４４ａ，４５ａが重なるようになっている。したがって、ノックアウト部２６を押し開けることによって形成される引出孔と、ノックアウト部４４ａ，４５ａを折り曲げることによって形成される引出孔が重なって開口した状態になる。
【００２５】
図２は盤本体２の内部に内器が収納された状態を示している。図２の例では、内器として光コンセントユニット６３、電話端子台６１、及びスイッチングＨＵＢ６２が盤本体２の左側に並べて配置され、ＣＡＴＶ・ＢＳ・ＣＳ用のブースタ６４が盤本体２の右側に配置されている。また、盤本体２の下側には複数（本実施形態では２個）の電源コンセント６５が左右方向に並べて配置されている。盤本体２の内部に引き込まれた光ファイバーケーブルＬ３は、端末に設けられた光コネクタＣＮ１が光コンセントユニット６３のアダプタ６３ａに接続され、その余長は余長収納部６３ｂに巻回される。
【００２６】
また、盤本体２の内部に引き込まれた電話配線Ｌ１は電話端子台６１に、ＬＡＮ配線Ｌ２はスイッチングＨＵＢ６２に、同軸ケーブルＬ４はブースタ６４にそれぞれ接続される。さらに、盤本体２の内部に引き込まれた電源ケーブルＬ５は一方（図２中の左側）の電源コンセント６５に接続され、２台の電源コンセント６５の間は送り配線Ｌ６を介して接続される。また、スイッチングＨＵＢ６２と電源コンセント６５の間は電源ケーブルＬ７を介して接続され、ブースタ６４と電源コンセント６５の間は電源ケーブルＬ８を介して接続される。したがって、スイッチングＨＵＢ６２及びブースタ６４には、電源コンセント６５を介して電源（例えばＡＣ１００Ｖ）が供給される。
【００２７】
次に、挟み金具５を用いてマルチメディア情報盤１を壁６に取り付ける手順について図３を参照して説明するが、まず最初に挟み金具５について説明する。
【００２８】
挟み金具５は、図３（ｄ）に示すように、矩形板状に形成された下片５１と、下片５１に回転自在に取り付けられたＬ字状の上片５２とで側面視Ｕ字状に形成され、上片５２に設けた孔に通された調整ねじ５３が下片５１にねじ込まれている（図３（ｅ）参照）。この調整ねじ５３は、上片５２と下片５１の間隔を調整するためのねじであり、調整ねじ５３を締め付ける方向に回転させると上片５２と下片５１の間隔が狭められ、調整ねじ５３を緩める方向に回転させると上片５２と下片５１の間隔が拡げられる。本実施形態では、４個の挟み金具５を用いてマルチメディア情報盤１が壁６に取り付けられる。
【００２９】
続けて、マルチメディア情報盤１の取付手順について説明する。まず、カバー４の上側壁４２に設けられたノックアウト部４２ａ，４２ｂのうち必要な部分を開口させて通線孔を形成し、さらにカバー４の左右両側壁４４，４５に設けられたノックアウト部４４ａ，４５ａを開口させて引出孔を形成する（図３（ａ）参照）。またこのとき、盤本体２に設けられたノックアウト部２４，２６を押し開けて通線孔及び引出孔を形成する。次に、カバー４の開口側を盤本体２側に向けた状態でカバー４を盤本体２に近づけていき（図３（ｂ）中の矢印Ａの向き）、盤本体２の段部２２よりも後側の部位を覆うようにカバー４を盤本体２に取り付ける。カバー４を盤本体２に取り付けた状態では、盤本体２の各引出孔とカバー４の対応する引出孔とがそれぞれ重なった状態になり、また盤本体２の各通線孔とカバー４の対応する通線孔とがそれぞれ重なった状態になる。そして、カバー４が取り付けられた盤本体２の段部２２よりも後側の部位を、壁６に開口する矩形の埋込孔６１に収納した後（図３（ｃ）参照）、図３（ｄ）中の矢印Ｂの向きに各挟み金具５を移動させて上片５２を盤本体２の対応する載置片２５にそれぞれ載置させる。このとき、各挟み金具５の下片５１は、それぞれ対応する引出孔から外側に引き出されている。そして最後に、各挟み金具５の調整ねじ５３をそれぞれ締め付けると、盤本体２の段部２２と各挟み金具５の下片５１との間で壁６が挟持されて、盤本体２が壁６に取り付けられる（図３（ｅ）参照）。
【００３０】
ここに、壁６に開口する埋込孔６１の縦横の寸法は、カバー４の縦横の寸法よりも若干大きめに形成されており、盤本体２を壁６に取り付けた状態では、盤本体２の段部２２よりも後側の部位が埋込孔６１に収納された状態にある。そして本実施形態では、この部分が金属製のカバー４で覆われている。したがって、埋込孔６１を通して室内側に火が回り込むのをカバー４により抑えることができ、建築基準法で定める準耐火構造に準ずる耐火性能を確保することができる。また、従来例のように新たな壁を設けなくてもいいので、室内側への出っ張りを小さくすることができ、外観上の見栄えを向上することができる。さらに、上記の通線孔や引出孔をノックアウト構造とし、必要最小限の通線孔又は引出孔しか開けないようにすることで、埋込孔６１を通して室内側に火が回り込むのをカバー４により抑えることができ、建築基準法で定める準耐火構造に準ずる耐火性能を確保することができる。なお、上記の耐火構造として、例えば住宅金融支援機構が定める省令準耐火構造があり、これを満たすことで耐火性能を向上することができる。
【００３１】
ところで、本実施形態のマルチメディア情報盤１では、壁６の裏側に取り付けられる桟８にカバー４を取り付けることもできる。以下、その手順について図４を参照して説明する。なお図４では、壁６に取り付けられた桟８が見えやすいように大きく開口させて図示しているが、実際にはカバー４よりも若干大きめに形成された埋込孔（図示せず）が開口している。まず、図４（ａ）に示すようにカバー４の開口側を前側（室内側）に向けた状態で、矢印Ｃの向きにカバー４を移動させて桟８の枠内にカバー４を配置する。次に、カバー４の各挿通孔４３ａ，４４ｂ，４５ｂにそれぞれ通した木ねじ９を桟８にねじ込むことで、カバー４が桟８に取り付けられる。さらに、カバー４が取り付けられた桟８に前側から壁６を構成する石膏ボードを取り付けた後、壁６においてカバー４と対向する部位にカバー４よりも若干大きめの埋込孔（図示せず）を形成する。そして最後に、盤本体２の段部２２よりも後側の部位を壁６の埋込孔に収納し、適宜の方法により盤本体２をカバー４に取り付けることで盤本体２が壁６に取り付けられる。これにより、カバー４が桟８に強固に取り付けられるので、上述のように挟み金具５を用いて盤本体２を壁６に取り付ける場合に比べて、盤本体２の取付強度を高めることができる。
【００３２】
なお本実施形態では、カバー４を盤本体２に取り付けているが、壁６に開口する埋込孔６１に収納される盤本体２の後部（段部２２よりも後側の部位）をカバー４で覆うようになっていれば、カバー４は別の部材に取り付けられていてもよい。また、通線孔及び引出孔のノックアウト構造についても本実施形態に限定されるものではなく、必要に応じて通線孔及び引出孔を形成できるようになっていれば別の構造でもよい。
【符号の説明】
【００３３】
１  マルチメディア情報盤
２  盤本体
４  カバー
【図１】
2013207828.tif 000003
【図２】
2013207828.tif 000004
【図３】
2013207828.tif 000005
【図４】
2013207828.tif 000006
【図５】
2013207828.tif 000007